(57)【要約】【課題】背板と、天板と、地板と、左側板と、右側板とから、遊技者と対向する開口を有するボックス状に接合されて成る回胴式遊技機の筐体において、部品点数の増加を招くことなく、板同士を簡便に接合できつつ、組み立てられた筐体としての必要な強度も確保すること。【解決手段】回胴式遊技機の筐体１は、背板１００と、天板２００と、地板３００と、左側板４００と、右側板５００とから、遊技者と対向する開口を有するボックス状に接合されている。天板２００の縁には、折り曲げ片２５０が形成されている。天板２００の後の折り曲げ片は、背板１００に接合され、天板２００の左右の折り曲げ片２５０は、左側板４００と右側板５００とに接合されている。地板３００も天板２００と同様に、上下が対称となるように形成され、背板１００と左側板４００と右側板５００とに接合されている。【選択図】図８
2018117859.tif 000002
【特許請求の範囲】
【請求項１】
背板と、天板と、地板と、左側板と、右側板とから、遊技者と対向する開口を有するボックス状に接合されて成る回胴式遊技機の筐体であって、
天板と地板とは、板金材から構成されており、
背板と左側板と右側板とは、木質材から構成されており、
天板の後の縁と左右の縁とには、折り曲げ片がそれぞれ形成されており、
天板の後の折り曲げ片は、背板に接合されており、
天板の左右の折り曲げ片は、左側板と右側板とに接合されており、
地板の後の縁と左右の縁とには、折り曲げ片がそれぞれ形成されており、
地板の後の折り曲げ片は、背板に接合されており、
地板の左右の折り曲げ片は、左側板と右側板とに接合されている回胴式遊技機の筐体。
【請求項２】
請求項１に記載の回胴式遊技機の筐体であって、
天板の左右の折り曲げ片の接合は、左側板と右側板との外面に対して行われており、
地板の左右の折り曲げ片の接合は、左側板と右側板との外面に対して行われている回胴式遊技機の筐体。
【請求項３】
請求項１〜２のいずれかに記載の回胴式遊技機の筐体であって、
天板の後の折り曲げ片の接合は、背板の外面または内面に対して行われており、
地板の後の折り曲げ片の接合は、背板の内面または外面に対して行われている回胴式遊技機の筐体。
【請求項４】
請求項１〜３のいずれかに記載の回胴式遊技機の筐体であって、
天板の前の縁には、折り曲げ片が形成されており、
地板の前の縁には、折り曲げ片が形成されている回胴式遊技機の筐体。
【発明の詳細な説明】
【技術分野】
【０００１】
本発明は、回胴式遊技機の筐体に関し、詳しくは、背板と、天板と、地板と、左側板と、右側板とから、遊技者と対向する開口を有するボックス状に接合されて成る回胴式遊技機の筐体に関する。
【背景技術】
【０００２】
従来、スロットマシーン等の回胴式遊技機の筐体は、背板と、天板と、地板と、左側板と、右側板とから、遊技者と対向する開口を有するボックス状に接合され構成されている。ここで、下記特許文献１には、この接合を４個の金具ｍを介して行う技術が開示されている（図１９参照）。これにより、板（背板１１００、天板１２００、地板１３００、左側板１４００、右側板１５００）同士を簡便に接合できつつ、組み立てられた筐体１００１としての必要な強度も確保できる。
【先行技術文献】
【特許文献】
【０００３】
【特許文献１】特開２０１６−１０１３６２号公報
【発明の概要】
【発明が解決しようとする課題】
【０００４】
しかしながら、上述した特許文献１の技術では、板（背板１１００、天板１２００、地板１３００、左側板１４００、右側板１５００）同士の接合において、金具ｍをビスｂで留める作業が必要となっていた。そのため、部品点数（この場合、４個の金具ｍ）の増加につながっていた。
【０００５】
本発明は、このような課題を解決しようとするもので、その目的は、背板と、天板と、地板と、左側板と、右側板とから、遊技者と対向する開口を有するボックス状に接合されて成る回胴式遊技機の筐体において、部品点数の増加を招くことなく、板同士を簡便に接合できつつ、組み立てられた筐体としての必要な強度も確保することである。
【課題を解決するための手段】
【０００６】
本発明は、上記の目的を達成するためのものであって、以下のように構成されている。
請求項１に記載の発明は、背板と、天板と、地板と、左側板と、右側板とから、遊技者と対向する開口を有するボックス状に接合されて成る回胴式遊技機の筐体である。天板と地板とは、板金材から構成されている。背板と左側板と右側板とは、木質材から構成されている。天板の後の縁と左右の縁とには、折り曲げ片がそれぞれ形成されている。天板の後の折り曲げ片は、背板に接合されている。天板の左右の折り曲げ片は、左側板と右側板とに接合されている。地板の後の縁と左右の縁とには、折り曲げ片がそれぞれ形成されている。地板の後の折り曲げ片は、背板に接合されている。地板の左右の折り曲げ片は、左側板と右側板とに接合されている。
【０００７】
請求項１の発明によれば、従来技術と同様に、板（背板、天板、地板、左側板、右側板）同士を簡便に接合できつつ、組み立てられた筐体としての必要な強度も確保できる。また、従来技術とは異なり、この板（背板、天板、地板、左側板、右側板）同士の接合において、金具を必要とすることがない。したがって、部品点数の増加を招くこともない。
【０００８】
また、請求項２に記載の発明は、請求項１に記載の回胴式遊技機の筐体であって、天板の左右の折り曲げ片の接合は、左側板と右側板との外面に対して行われている。地板の左右の折り曲げ片の接合は、左側板と右側板との外面に対して行われている。
【０００９】
請求項２の発明によれば、この接合を行うために天板と左側板とを仮り組みするとき、この天板の折り曲げ片の内面に対して左側板の外面を立て掛けることができる。したがって、この仮り組みするときに治具等を必要とすることがない。このことは、天板の折り曲げ片の内面と右側板の外面との接合においても同様である。
【００１０】
また、請求項３に記載の発明は、請求項１〜２のいずれかに記載の回胴式遊技機の筐体であって、天板の後の折り曲げ片の接合は、背板の外面または内面に対して行われている。地板の後の折り曲げ片の接合は、背板の内面または外面に対して行われている。
【００１１】
請求項３の発明によれば、背板の接合を解消すると（例えば、接合のビスを外すと）、組み立てた筐体から背板のみをスライドさせて取り外すことができる。したがって、組み立てた筐体において背板のみの交換作業を簡素化できる。
【００１２】
また、請求項４に記載の発明は、請求項１〜３のいずれかに記載の回胴式遊技機の筐体であって、天板の前の縁には、折り曲げ片が形成されている。地板の前の縁には、折り曲げ片が形成されている。
【００１３】
請求項４の発明によれば、組み立てた筐体の開口を、例えば、前扉が閉じたときでも、この前扉と天板との間に形成される僅かな隙間から筐体の内部に異物を侵入させることを防止できる。したがって、筐体の内部のセキュリティ性を高めることができる。このことは、地板の折り曲げ片においても同様である。
【図面の簡単な説明】
【００１４】
【図１】本発明の実施例に係る回胴式遊技機の筐体の全体斜視図である。
【図２】図１の筐体の正面図である。
【図３】図１の筐体の平面図である。
【図４】図１の筐体の底面図である。
【図５】図１の筐体の左側面図である。
【図６】図１の筐体の右側面図である。
【図７】図１の筐体の背面図である。
【図８】図１の筐体の分解斜視図である。
【図９】図１の筐体の天板の斜視図である。
【図１０】図１の筐体の地板の斜視図である。
【図１１】図９のＡ−Ａ線の縦断面図である
【図１２】図１０Ｂ−Ｂ線の縦断面図である。
【図１３】図１１の筐体の天板の変形例（変形例１）である。
【図１４】図１１の筐体の天板の他の変形例（変形例２）である。
【図１５】図１１の筐体の天板の他の変形例（変形例３）である。
【図１６】図１２の筐体の地板の変形例（変形例１）である。
【図１７】図１２の筐体の地板の他の変形例（変形例２）である。
【図１８】図１２の筐体の地板の他の変形例（変形例３）である。
【図１９】従来技術に係る回胴式遊技機の筐体の接合を示す斜視図である。
【発明を実施するための形態】
【００１５】
以下、本発明を実施するための形態を、図１〜１２を用いて説明する。はじめに、図１〜１２を参照して、本発明の実施例に係る回胴式遊技機の筐体１の全体構成を説明する。この回胴式遊技機として、例えば、スロットマシーンを例に説明する。
【００１６】
この筐体１は、パチンコホールの遊技島のベース（いずれも図示しない）に組み付けられるものであり、主として、背板１００と、天板２００と、地板３００と、左側板４００と、右側板５００とから構成されている。以下に、これら背板１００と、天板２００と、地板３００と、左側板４００と、右側板５００とを個別に説明していく。
【００１７】
最初に、背板１００から説明していく（図１、２、７、８参照）。この背板１００は、縦長の矩形状の木質のパネル部材（木質材）から構成されている。この背板１００には、その上縁１１０に沿う格好を成すように３個の下孔１２０、１２２、１２４（第１の下孔１２０、第２の下孔１２２、第３の下孔１２４）が形成されている。また、この背板１００の左下の隅には、スロットマシーンの電源ユニット（図示しない）を組み付けるための切欠１１８が形成されている。
【００１８】
また、この背板１００には、その下縁１１２に沿う格好を成すように３個の下孔１２６、１２８、１３０（第４の下孔１２６、第５の下孔１２８、第６の下孔１３０）が形成されている。この３個の下孔１２６、１２８、１３０の外側（背面側）には、鬼目ナット１２６ａ、１２８ａ、１３０ａが固着されている。また、この背板１００の適宜の箇所には、通風孔１３２が複数形成されている。これにより、後述するように組み立てた筐体１の内部に熱がこもることを防止できる。背板１００は、このように構成されている。
【００１９】
次に、天板２００を説明する（図１、３、８、９、１１参照）。この天板２００は、横長の矩形状の金属製のパネル部材（板金材）から構成されている。この天板２００の前縁２１０には、側面視において、略Ｌ字状を成す折り曲げ片２２０が下向きに折り曲げられる格好で形成されている（図９、１１参照）。この折り曲げ片２２０により、後述するように組み立てた筐体１の開口１０を前扉（図示しない）が閉じたときでも、この前扉と天板２００との間に形成される僅かな隙間（図示しない）から筐体１の内部に異物（例えば、針金等）を侵入させることを防止できる。したがって、筐体１の内部のセキュリティ性を高めることができる。
【００２０】
また、この天板２００の後縁２１２には、左と中央と右において内側に向けて凹みを有するビード２３２、２３４、２３６を備えた折り曲げ片２３０が下向きに折り曲げられる格好で形成されている。このビード２３２の凹面２３２ａには、下孔２３２ｂ（第１の下孔２３２ｂ）が形成されている。また、このビード２３４の凹面２３４ａには、下孔２３４ｂ（第２の下孔２３４ｂ）が形成されている。また、このビード２３６の凹面２３６ａにも、下孔２３６ｂ（第３の下孔２３６ｂ）が形成されている。
【００２１】
これら３個の下孔２３２ｂ、２３４ｂ、２３６ｂは、背板１００の３個の下孔１２０、１２２、１２４に一致するように形成されている。この各ビード２３２、２３４、２３６により、折り曲げ片２３０の強度を向上させることができる。また、この各凹面２３２ａ、２３４ａ、２３６ａにより、この各下孔２３２ｂ、２３４ｂ、２３６ｂにビスＢ１を留めたときでも、この留めたビスＢ１の先端が折り曲げ片２３０の表面から突出することを防止できる。
【００２２】
また、この天板２００の左縁２１４には、前後において内側に向けて凹みを有するビード２４２、２４４を備えた折り曲げ片２４０が下向きに折り曲げられる格好で形成されている。このビード２４２の凹面２４２ａにも、下孔２４２ｂ（第４の下孔２４２ｂ）が形成されている。また、このビード２４４の凹面２４４ａにも、下孔２４４ｂ（第５の下孔２４４ｂ）が形成されている。この両ビード２４２、２４４により、折り曲げ片２４０の強度を向上させることができる。また、この両凹面２４２ａ、２４４ａにより、この両下孔２４２ｂ、２４４ｂにビスＢ１を留めたときでも、この留めたビスＢ１の先端が折り曲げ片２４０の表面から突出することを防止できる。
【００２３】
また、この天板２００の右縁２１６には、前後において内側に向けて凹みを有するビード２５２、２５４を備えた折り曲げ片２５０が下向きに折り曲げられる格好で形成されている。このビード２５２の凹面２５２ａにも、下孔２５２ｂ（第６の下孔２５２ｂ）が形成されている。また、このビード２５４の凹面２５４ａにも、下孔２５４ｂ（第７の下孔２５４ｂ）が形成されている。この両ビード２５２、２５４により、折り曲げ片２５０の強度を向上させることができる。また、この両凹面２５２ａ、２５４ａにより、この両下孔２５２ｂ、２５４ｂにビスＢ１を留めたときでも、この留めたビスＢ１の先端が折り曲げ片２５０の表面から突出することを防止できる。
【００２４】
また、この天板２００には、左右に対を成すように内側に向けて凹みを有するビード２６０、２６４が形成されている。このビード２６０の凹面２６２には、矩形状の貫通孔２６２ａが形成されている。また、この凹面２６２には、貫通孔２６２ａの長手方向に沿って対向するように一対の取付孔２６２ｂが形成されている。そして、この凹面２６２には、その貫通孔２６２ａを塞ぐように木質の取付材２７０が取り付けられている。この取り付けは、２本の木ネジＢ２を一対の取付孔２６２ｂに挿し込み、この挿し込んだ２本の木ネジＢ２を取付材２７０に螺合させることで行われている（図８参照）。
【００２５】
また、このビード２６４の凹面２６６にも、矩形状の貫通孔２６６ａが形成されている。また、この凹面２６６にも、貫通孔２６６ａの長手方向に沿って対向するように一対の取付孔２６６ｂが形成されている。そして、この凹面２６６にも、その貫通孔２６６ａを塞ぐように木質の取付材２７０が取り付けられている。この取り付けも、２本の木ネジＢ２を一対の取付孔２６６ｂに挿し込み、この挿し込んだ２本の木ネジＢ２を取付材２７０に螺合させることで行われている（図８参照）。この両取付材２７０を介してスロットマシーンの遊技島の取付部に釘（いずれも図示しない）を打ち込むことにより、後述するように組み立てた筐体１をスロットマシーンの遊技島に取り付けることができる。天板２００は、このように構成されている。
【００２６】
次に、地板３００を説明する（図１、４、８、１０、１２参照）。この地板３００は、横長の矩形状の金属製のパネル部材（板金材）から構成されている。この地板３００の前縁３１０には、側面視において、略Ｌ字状を成す折り曲げ片３２０が上向きに折り曲げられる格好で形成されている（図１０、１２参照）。この折り曲げ片３２０により、後述するように組み立てた筐体１の開口１０を前扉（図示しない）が閉じたときでも、この前扉と地板３００との間に形成される僅かな隙間（図示しない）から筐体１の内部に異物（例えば、針金等）を侵入させることを防止できる。したがって、筐体１の内部のセキュリティ性を高めることができる。
【００２７】
また、この地板３００の後縁３１２には、左に切欠３３２を有する折り曲げ片３３０が上向きに折り曲げられる格好で形成されている。この切欠３３２の幅長は、背板１００の切欠１１８の幅長に略一致するように形成されている。この折り曲げ片３３０には、その上縁に沿う格好を成すように３個の下孔３３４、３３６、３３８（第１の下孔３３４、第２の下孔３３６、第３の下孔３３８）が形成されている。これら３個の下孔３３４、３３６、３３８は、背板１００の３個の下孔１２６、１２８、１３０に一致するように形成されている。
【００２８】
また、この地板３００の左縁３１４には、前後において内側に向けて凹みを有するビード３４２、３４４を備えた折り曲げ片３４０が上向きに折り曲げられる格好で形成されている。このビード３４２の凹面３４２ａにも、下孔３４２ｂ（第４の下孔３４２ｂ）が形成されている。また、このビード３４４の凹面３４４ａにも、下孔３４４ｂ（第５の下孔３４４ｂ）が形成されている。この両ビード３４２、３４４により、折り曲げ片３４０の強度を向上させることができる。また、この両凹面３４２ａ、３４４ａにより、この両下孔３４２ｂ、３４４ｂにビスＢ１を留めたときでも、この留めたビスＢ１の先端や基端が折り曲げ片３４０の表面から突出することを防止できる。
【００２９】
また、この地板３００の右縁３１６には、前後において内側に向けて凹みを有するビード３５２、３５４を備えた折り曲げ片３５０が上向きに折り曲げられる格好で形成されている。このビード３５２の凹面３５２ａにも、下孔３５２ｂ（第６の下孔３５２ｂ）が形成されている。また、このビード３５４の凹面３５４ａにも、下孔３５４ｂ（第７の下孔３５４ｂ）が形成されている。この両ビード３５２、３５４により、折り曲げ片３５０の強度を向上させることができる。また、この両凹面３５２ａ、３５４ａにより、この両下孔３５２ｂ、３５４ｂにビスＢ１を留めたときでも、この留めたビスＢ１の先端が折り曲げ片３５０の表面から突出することを防止できる。
【００３０】
また、この地板３００には、左右に対を成すように内側に向けて凸を有するビード３６０、３６４、３６８、３７２が形成されている。このビード３６４の凸面３６６には、メダルを受け入れるホッパ（図示しない）を取り付けるための一対の取付孔３６６ａが形成されている。また、このビード３６８の凸面３７０にも、このホッパを取り付けるための一対の取付孔３７０ａが形成されている。また、この両凸面３６６、３７０により、この両取付孔３６６ａ、３７０ａにビス（図示しない）を留めたときでも、この留めたビスの基端が地板３００の裏面（外面）から突出することを防止できる。地板３００は、このように構成されている。
【００３１】
次に、左側板４００を説明する（図１、５、８参照）。この左側板４００は、直角を有する縦長の台形状の木質のパネル部材（木質材）から構成されている。この左側板４００の上縁４１０は、内側に向けて凹む段差状に形成（段差面４１０ａが形成）されている。この段差面４１０ａの凹みの深さは、天板２００の折り曲げ片２４０の厚みに一致するように形成されている。この段差面４１０ａにより、後述するように組み立てた筐体１の左側面の上側を面一にできる。したがって、組み立てた筐体１の見栄えを向上させることができる。
【００３２】
また、この左側板４００の下縁４１２も、内側に向けて凹む段差状に形成（段差面４１２ａが形成）されている。この段差面４１２ａの凹みの深さは、地板３００の折り曲げ片３４０の厚みに一致するように形成されている。この段差面４１２ａにより、後述するように組み立てた筐体１の左側面の下側を面一にできる。したがって、出来上がった筐体１の見栄えを向上させることができる。
【００３３】
また、この左側板４００には、その前縁４１４に沿う格好を成すように６個の下孔４２０、４２２、４２４、４２６、４２８、４３０（第１の下孔４２０、第２の下孔４２２、第３の下孔４２４、第４の下孔４２６、第５の下孔４２８、第６の下孔４３０）が形成されている。これら６個の下孔４２０、４２２、４２４、４２６、４２８、４３０のうち、第１の下孔４２０は、天板２００の折り曲げ片２４０の第４の下孔２４２ｂに一致するように形成されている。
【００３４】
また、これら６個の下孔４２０、４２２、４２４、４２６、４２８、４３０のうち、第６の下孔４３０は、地板３００の折り曲げ片３４０の第４の下孔３４２ｂに一致するように形成されている。また、これら６個の下孔４２０、４２２、４２４、４２６、４２８、４３０のうち、第２の下孔４２２〜第５の下孔４２８の外側には、鬼目ナット４２２ａ、４２４ａ、４２６ａ、４２８ａが固着されている。
【００３５】
また、この左側板４００には、その後縁４１６に沿う格好を成すように２個の下孔４３２、４３４（第７の下孔４３２、第８の下孔４３４）が形成されている。これら２個の下孔４３２、４３４のうち、第７の下孔４３２は、天板２００の折り曲げ片２４０の第５の下孔２４４ｂに一致するように形成されている。また、これら２個の下孔４３２、４３４のうち、第８の下孔４３４は、地板３００の折り曲げ片３４０の第５の下孔３４４ｂに一致するように形成されている。また、これら２個の下孔４３２、４３４のうち、第８の下孔４３４の内側には、鬼目ナット４３４ａが固着されている。
【００３６】
また、この左側板４００の内面の前側には、後述するように組み立てた筐体１の前扉をヒンジ結合するヒンジピン（図示しない）と、折り曲げ片４４０ａとを有するセキュリティ板金４４０が組み付けられている（図８参照）。この折り曲げ片４４０ａにより、組み立てた筐体１の開口１０を前扉（図示しない）が閉じたときでも、この前扉と左側板４００との間に形成される僅かな隙間（図示しない）から筐体１の内部に異物（例えば、針金等）を侵入させることを防止できる。したがって、筐体１の内部のセキュリティ性を高めることができる。
【００３７】
ここで、このセキュリティ板金４４０の組み付けについて詳述する。このセキュリティ板金４４０には、その長手方向に沿う格好を成すように６個の下孔４４２、４４４、４４６、４４８、４５０、４５２（第１の下孔４４２、第２の下孔４４４、第３の下孔４４６、第４の下孔４４８、第５の下孔４５０、第６の下孔４５２）が形成されている。これら６個の下孔４４２、４４４、４４６、４４８、４５０、４５２は、左側板４００の６個の下孔４２０、４２２、４２４、４２６、４２８、４３０に一致するように形成されている。
【００３８】
そして、４本のビスＢ１をセキュリティ板金４４０の４個の下孔４４４、４４６、４４８、４５０に挿し込み、この挿し込んだ４本のビスＢ１を左側板４００の４個の下孔４２２、４２４、４２６、４２８の各鬼目ナット４２２ａ、４２４ａ、４２６ａ、４２８ａに螺合させている。このようにしてセキュリティ板金４４０が組み付けられている。また、この左側板４００の略中央には、出来上がった筐体１を運搬するときに４本の指（人差し指、中指、薬指、小指）を挿し込み可能な取手部品を挿入する孔４３６が形成されている。左側板４００は、このように構成されている。
【００３９】
最後に、右側板５００を説明する（図１、６、８参照）。この右側板５００も、直角を有する縦長の台形状の木質のパネル部材（木質材）から構成されている。この右側板５００の上縁５１０も、内側に向けて凹む段差状に形成（段差面５１０ａが形成）されている。この段差面５１０ａの凹みの深さは、天板２００の折り曲げ片２５０の厚みに一致するように形成されている。この段差面５１０ａにより、後述するように組み立てた筐体１の右側面の上側を面一にできる。したがって、出来上がった筐体１の見栄えを向上させることができる。
【００４０】
また、この右側板５００の下縁５１２も、内側に向けて凹む段差状に形成（段差面５１２ａが形成）されている。この段差面５１２ａの凹みの深さは、地板３００の折り曲げ片３５０の厚みに一致するように形成されている。この段差面５１２ａにより、組み立てた筐体１の右側面の下側を面一にできる。したがって、出来上がった筐体１の見栄えを向上させることができる。
【００４１】
また、この右側板５００には、その前縁５１４に沿う格好を成すように６個の下孔５２０、５２２、５２４、５２６、５２８、５３０（第１の下孔５２０、第２の下孔５２２、第３の下孔５２４、第４の下孔５２６、第５の下孔５２８、第６の下孔５３０）が形成されている。これら６個の下孔５２０、５２２、５２４、５２６、５２８、５３０のうち、第１の下孔５２０は、天板２００の折り曲げ片２５０の第６の下孔２５２ｂに一致するように形成されている。
【００４２】
また、これら６個の下孔５２０、５２２、５２４、５２６、５２８、５３０のうち、第６の下孔５３０は、地板３００の折り曲げ片３５０の第６の下孔３５２ｂに一致するように形成されている。また、これら６個の下孔５２０、５２２、５２４、５２６、５２８、５３０のうち、第２の下孔５２２〜第５の下孔５２８の外側には、鬼目ナット５２２ａ、５２４ａ、５２６ａ、５２８ａが固着されている。
【００４３】
また、この右側板５００には、その後縁５１６に沿う格好を成すように２個の下孔５３２、５３４（第７の下孔５３２、第８の下孔５３４）が形成されている。これら２個の下孔５３２、５３４のうち、第７の下孔５３２は、天板２００の折り曲げ片２５０の第７の下孔２５４ｂに一致するように形成されている。また、これら２個の下孔５３２、５３４のうち、第８の下孔５３４は、地板３００の折り曲げ片３５０の第７の下孔３５４ｂに一致するように形成されている。
【００４４】
また、この右側板５００の内面の前側にも、折り曲げ片５４０ａを有するセキュリティ板金５４０が組み付けられている（図８参照）。この折り曲げ片５４０ａにより、筐体１の開口１０を前扉（図示しない）が閉じたときでも、この前扉と右側板５００との間に形成される僅かな隙間（図示しない）から筐体１の内部に異物（例えば、針金等）を侵入させることを防止できる。したがって、筐体１の内部のセキュリティ性を高めることができる。
【００４５】
ここで、このセキュリティ板金５４０の組み付けについて詳述する。このセキュリティ板金５４０にも、その長手方向に沿う格好を成すように６個の下孔５４２、５４４、５４６、５４８、５５０、５５２（第１の下孔５４２、第２の下孔５４４、第３の下孔５４６、第４の下孔５４８、第５の下孔５５０、第６の下孔５５２）が形成されている。これら６個の下孔５４２、５４４、５４６、５４８、５５０、５５２は、右側板５００の６個の下孔５２０、５２２、５２４、５２６、５２８、５３０に一致するように形成されている。
【００４６】
そして、４本のビスＢ１をセキュリティ板金５４０の４個の下孔５４４、５４６、５４８、５５０に挿し込み、この挿し込んだ４本のビスＢ１を右側板５００の４個の下孔５２２、５２４、５２６、５２８の各鬼目ナット５２２ａ、５２４ａ、５２６ａ、５２８ａに螺合させている。このようにしてセキュリティ板金５４０が組み付けられている。また、この右側板５００の略中央にも、出来上がった筐体１を運搬するときに４本の指（人差し指、中指、薬指、小指）を挿し込み可能な取手部品を挿入する孔５３６が形成されている。右側板５００は、このように構成されている。
【００４７】
続いて、上述した背板１００と、天板２００と、地板３００と、左側板４００と、右側板５００とから構成されているスロットマシーンの筐体１を組み立てる手順を説明する。まず、背板１００と天板２００とを接合させる第１の作業を行う。この第１の作業は、背板１００と天板２００とを仮り組みする第１Ａの作業と、この第１Ａの作業の後に、３本のビスＢ１を背板１００の第１の下孔１２０、第２の下孔１２２、第３の下孔１２４に内側から挿し込み、この挿し込んだ３本のビスＢ１を天板２００の折り曲げ片２３０の第１の下孔２３２ｂ、第２の下孔２３４ｂ、第３の下孔２３６ｂに螺合させる第１Ｂの作業と、から構成されている。この第１の作業により、背板１００の外面と天板２００の折り曲げ片２３０の内面とがビスＢ１を介して接合されることとなる。
【００４８】
次に、天板２００と左側板４００とを接合させる第２の作業を行う。この第２の作業は、天板２００の折り曲げ片２４０の内面と左側板４００の段差面（外面）４１０ａとを仮り組みする第２Ａの作業と、この第２Ａの作業の後に、２本のビスＢ１を左側板４００のセキュリティ板金４４０の第１の下孔４４２を介して左側板４００の第１の下孔４２０、第７の下孔４３２に内側から挿し込み、この挿し込んだ２本のビスＢ１を天板２００の折り曲げ片２４０の第４の下孔２４２ｂ、第５の下孔２４４ｂに螺合させる第２Ｂの作業と、から構成されている。この第２の作業により、天板２００の折り曲げ片２４０の内面と左側板４００の外面とがビスＢ１を介して接合されることとなる。
【００４９】
次に、天板２００と右側板５００とを接合させる第３の作業を行う。この第３の作業は、天板２００の折り曲げ片２５０の内面と右側板５００の段差面（外面）５１０ａとを仮り組みする第３Ａの作業と、この第３Ａの作業の後に、２本のビスＢ１を右側板５００のセキュリティ板金５４０の第１の下孔５４２を介して右側板５００の第１の下孔５２０、第７の下孔５３２に内側から挿し込み、この挿し込んだ２本のビスＢ１を天板２００の折り曲げ片２５０の２個の下孔２５２ｂ、２５４ｂに螺合させる第３Ｂの作業と、から構成されている。この第３の作業により、天板２００の折り曲げ片２５０の内面と右側板５００の外面とがビスＢ１を介して接合されることとなる。
【００５０】
次に、背板１００と地板３００とを接合させる第４の作業を行う。この第４の作業は、背板１００と地板３００とを仮り組みする第４Ａの作業と、この第４Ａの作業の後に、３本のビスＢ１を地板３００の折り曲げ片３３０の第１の下孔３３４、第２の下孔３３６、第３の下孔３３８に内側から挿し込み、この挿し込んだ３本のビスＢ１を背板１００の第４の下孔１２６、第５の下孔１２８、第６の下孔１３０の各鬼目ナット１２６ａ、１２８ａ、１３０ａに螺合させる第４Ｂの作業と、から構成されている。この第４の作業により、背板１００の内面と地板３００の折り曲げ片３３０の外面とがビスＢ１を介して接合されることとなる。
【００５１】
次に、地板３００と左側板４００とを接合させる第５の作業を行う。この第５の作業は、地板３００の折り曲げ片３４０の内面と左側板４００の段差面（外面）４１２ａとを仮り組みする第５Ａの作業と、この第５Ａの作業の後に、ビスＢ１を左側板４００のセキュリティ板金４４０の第６の下孔４５２を介して左側板４００の第６の下孔４３０に内側から挿し込み、この挿し込んだビスＢ１を地板３００の折り曲げ片３４０の第４の下孔３４２ｂに螺合させる第５Ｂの作業と、この第５Ｂの作業の後に、ビスＢ１を地板３００の折り曲げ片３４０の第５の下孔３４４ｂに外側から挿し込み、この挿し込んだビスＢ１を左側板４００の第８の下孔４３４の鬼目ナット４３４ａに螺合させる第５Ｃの作業と、から構成されている。この第５の作業により、地板３００の折り曲げ片３４０の内面と左側板４００の外面とがビスＢ１を介して接合されることとなる。
【００５２】
なお、地板３００の折り曲げ片３４０の第５の下孔３４４ｂに挿し込まれるビスＢ１は、この第５の下孔３４４ｂの外側から挿し込まれるため、筐体１の内部の左下の隅に電源ボックス（図示しない）を組み付けても、この電源ボックスを取り外すことなく、このビスＢ１を螺合や緩める作業を実施できる。したがって、組み立てた筐体１から左側板４００のみを取り換える作業を簡単に実施できる。
【００５３】
最後に、地板３００と右側板５００とを接合させる第６の作業を行う。この第６の作業は、地板３００の折り曲げ片３５０の内面と右側板５００の段差面（外面）５１２ａとを仮り組みする第６Ａの作業と、この第６Ａの作業の後に、２本のビスＢ１を右側板５００のセキュリティ板金５４０の第６の下孔５５２を介して右側板５００の第６の下孔５３０、第８の下孔５３４に内側から挿し込み、この挿し込んだ２本のビスＢ１を地板３００の折り曲げ片３５０の第６下孔３５２ｂ、第７の下孔３５４ｂに螺合させる第６Ｂの作業と、から構成されている。この第６の作業により、地板３００の折り曲げ片３５０の内面と右側板５００の外面とがビスＢ１を介して接合されることとなる。
【００５４】
このような作業を経てスロットマシーンの筐体１は組み立てられる。なお、このようにして組み立てられると、スロットマシーンの筐体１は、従来技術と同様に、背板１００と、天板２００と、地板３００と、左側板４００と、右側板５００とから、遊技者と対向する開口１０を有するボックス状に接合されて構成されることとなる。
【００５５】
本発明の実施例に係るスロットマシーンの筐体１は、上述したように構成されている。この構成によれば、天板２００の後縁２１２には、折り曲げ片２３０が下向きに折り曲げられる格好で形成されている。また、天板２００の左縁２１４には、折り曲げ片２４０が下向きに折り曲げられる格好で形成されている。また、天板２００の右縁２１６には、折り曲げ片２５０が下向きに折り曲げられる格好で形成されている。そして、背板１００と天板２００の折り曲げ片２３０とがビスＢ１を介して接合されている。また、天板２００の折り曲げ片２４０と左側板４００とがビスＢ１を介して接合されている。また、天板２００の折り曲げ片２５０と右側板５００とがビスＢ１を介して接合されることとなる。一方、地板３００の後縁３１２には、折り曲げ片３３０が上向きに折り曲げられる格好で形成されている。また、地板３００の左縁３１４には、折り曲げ片３４０が上向きに折り曲げられる格好で形成されている。また、地板３００の右縁３１６には、折り曲げ片３５０が上向きに折り曲げられる格好で形成されている。そして、背板１００と地板３００の折り曲げ片３３０とがビスＢ１を介して接合されている。また、地板３００の折り曲げ片３４０と左側板４００とがビスＢ１を介して接合されている。また、地板３００の折り曲げ片３５０と右側板５００とがビスＢ１を介して接合されている。そのため、従来技術と同様に、板（背板１００、天板２００、地板３００、左側板４００、右側板５００）同士を簡便に接合できつつ、組み立てられた筐体１としての必要な強度も確保できる。また、従来技術とは異なり、この板（背板１００、天板２００、地板３００、左側板４００、右側板５００）同士の接合において、金具ｍを必要とすることがない。したがって、部品点数の増加を招くこともない。
【００５６】
また、この構成によれば、天板２００の折り曲げ片２４０の内面と左側板４００の外面とがビスＢ１を介して接合されている。また、天板２００の折り曲げ片２５０の内面と右側板５００の外面とがビスＢ１を介して接合されている。そのため、この接合を行うために天板２００と左側板４００とを仮り組みするとき、この天板２００の折り曲げ片２４０の内面に対して左側板４００の外面を立て掛けることができる。したがって、この仮り組みするときに治具等を必要とすることがない。このことは、天板２００の折り曲げ片２５０の内面と右側板５００の外面との接合においても同様である。
【００５７】
また、この構成によれば、背板１００の外面と天板２００の折り曲げ片２３０の内面とがビスＢ１を介して接合されている。また、背板１００の内面と地板３００の折り曲げ片３３０の外面とがビスＢ１を介して接合されている。そのため、背板１００の６本のビスＢ１を外すと、組み立てた筐体１から背板１００のみを下側にスライドさせて取り外すことができる。したがって、組み立てた筐体１において背板１００のみの交換作業を簡素化できる。なぜなら、背板１００の外面と地板３００の折り曲げ片３３０の内面とがビスＢ１を介して接合されている場合、背板１００の６本のビスＢ１を外しても、組み立てた筐体１から背板１００のみを上側または下側にスライドさせて取り外すことができないからである。
【００５８】
また、この構成によれば、天板２００の前縁２１０には、側面視において、略Ｌ字状を成す折り曲げ片２２０が下向きに折り曲げられる格好で形成されている。また、地板３００の前縁３１０には、側面視において、略Ｌ字状を成す折り曲げ片３２０が上向きに折り曲げられる格好で形成されている。そのため、この折り曲げ片２２０により、組み立てた筐体１の開口１０を前扉が閉じたときでも、この前扉と天板２００との間に形成される僅かな隙間から筐体１の内部に異物を侵入させることを防止できる。したがって、筐体１の内部のセキュリティ性を高めることができる。このことは、折り曲げ片３２０においても同様である。
【００５９】
上述した内容は、あくまでも本発明の一実施の形態に関するものであって、本発明が上記内容に限定されることを意味するものではない。
【００６０】
実施例では、天板２００の折り曲げ片２２０は、側面視において、略Ｌ字状を成すように下向きに折り曲げられる形態を説明した（図１１参照）。しかし、これに限定されるものでなく、天板２００の折り曲げ片２２０は、側面視において、略クランク状を成すように下向きに折り曲げられる形態でも構わない（図１３参照）。これと同様に、天板２００の折り曲げ片２２０は、側面視において、略Ｊ字状を成すように下向きに折り曲げられる形態でも構わない（図１４参照）。また、これと同様に、天板２００の折り曲げ片２２０は、側面視において、略Ｕ字状を成すように下向きに折り曲げられる形態でも構わない（図１５参照）。
【００６１】
また、実施例では、地板３００の折り曲げ片３２０は、側面視において、略Ｌ字状を成すように上向きに折り曲げられる形態を説明した（図１２参照）。しかし、これに限定されるものでなく、地板３００の折り曲げ片３２０は、側面視において、略クランク状を成すように上向きに折り曲げられる形態でも構わない（図１６参照）。これと同様に、地板３００の折り曲げ片３２０は、側面視において、略Ｊ字状を成すように上向きに折り曲げられる形態でも構わない（図１７参照）。また、これと同様に、地板３００の折り曲げ片３２０は、側面視において、略Ｕ字状を成すように上向きに折り曲げられる形態でも構わない（図１８参照）。
【００６２】
また、実施例では、背板１００の外面と天板２００の折り曲げ片２３０の内面とがビスＢ１を介して接合され、背板１００の内面と地板３００の折り曲げ片３３０の外面とがビスＢ１を介して接合される形態を説明した。しかし、これに限定されるものでなく、背板１００の内面と天板２００の折り曲げ片２３０の外面とがビスＢ１を介して接合され、背板１００の外面と地板３００の折り曲げ片３３０の内面とがビスＢ１を介して接合される形態でも構わない。
【００６３】
また、実施例では、スロットマシーンの筐体１の組み立ての手順として、第１の作業〜第６の作業の順に説明した。しかし、これに限定されるものでなく、スロットマシーンの筐体１の組み立ての手順は、適宜に入れ替えてもよい。例えば、第１の作業、第４の作業、第２の作業、第３の作業、第５の作業、第６の作業の順であっても構わない。
【００６４】
また、実施例では、スロットマシーンの筐体１の組み立ての手順として、第１の作業〜第６の作業の各作業において、仮り組み作業の後にビスＢ１を螺合させる手順を説明した。すなわち、第１Ａの作業、第１Ｂの作業、第２Ａの作業、第２Ｂの作業、第３Ａの作業、第３Ｂの作業、第４Ａの作業、第４Ｂの作業、第５Ａの作業、第５Ｂの作業、第５Ｃの作業、第６Ａの作業、第６Ｂの作業の順に行う手順を説明した。しかし、これに限定されるものでなく、第１の作業〜第６の作業の各作業において、全ての仮り組み作業の後に全てのビスＢ１を螺合させる手順でも構わない。すなわち、第１Ｂの作業、第２Ｂの作業、第３Ｂの作業、第４Ｂの作業、第５Ｂの作業、第５Ｃの作業、第６Ｂの作業、第１Ａの作業、第２Ａの作業、第３Ａの作業、第４Ａの作業、第５Ａの作業、第６Ａの作業の順に行う手順であっても構わない。
【００６５】
また、実施例では、筐体１を組み立てるとき、予め、左側板４００にセキュリティ板金４４０を組み付けておく形態を説明した。これと同様に、実施例では、筐体１を組み立てるとき、予め、右側板５００にセキュリティ板金５４０を組み付けておく形態を説明した。しかし、これに限定されるものでなく、筐体１を組み立てるときに左側板４００にセキュリティ板金４４０を組み付けても構わない。これと同様に、筐体１を組み立てるときに右側板５００にセキュリティ板金５４０を組み付けても構わない。
【符号の説明】
【００６６】
１      回胴式遊技機の筐体（スロットマシーンの筐体）
１０    開口
１００  背板
２００  天板
２２０  折り曲げ片
２３０  折り曲げ片
２４０  折り曲げ片
２５０  折り曲げ片
３００  地板
３２０  折り曲げ片
３３０  折り曲げ片
３４０  折り曲げ片
３５０  折り曲げ片
４００  左側板
５００  右側板
【図１】
2018117859.tif 000003
【図２】
2018117859.tif 000004
【図３】
2018117859.tif 000005
【図４】
2018117859.tif 000006
【図５】
2018117859.tif 000007
【図６】
2018117859.tif 000008
【図７】
2018117859.tif 000009
【図８】
2018117859.tif 000010
【図９】
2018117859.tif 000011
【図１０】
2018117859.tif 000012
【図１１】
2018117859.tif 000013
【図１２】
2018117859.tif 000014
【図１３】
2018117859.tif 000015
【図１４】
2018117859.tif 000016
【図１５】
2018117859.tif 000017
【図１６】
2018117859.tif 000018
【図１７】
2018117859.tif 000019
【図１８】
2018117859.tif 000020
【図１９】
2018117859.tif 000021